(57)【要約】【課題】ユーザが複数の操作環を操作する際に、隣接する操作環を意図せずに操作してしまうことを防止する撮像装置を提供する。【解決手段】撮像装置が、回転操作可能なズーム操作リング１０５とフォーカス操作リング１０３とを備える。ズーム操作リング１０５とフォーカス操作リング１０３との間に中間リング１０４が設けられている。Ｏリング１０２が、フォーカス操作リング１０３の内周面に接触して摺動することで回転トルクを発生させる。中間リング１０４が、ズーム操作リング１０５の回転操作時に押圧されてフォーカス操作リング側に移動する。そして、中間リング１０４の上記移動に応じてフォーカス操作リング１０３が移動することで、Ｏリング１０２が発生させる回転トルクが増大する。【選択図】図１
2016080858.tif 000002
【特許請求の範囲】
【請求項１】
軸周りに連続して配置され、回転操作可能な第１、第２の操作環と、
前記第１の操作環と前記第２の操作環との間に配置された中間リング部材と、
前記第２の操作環の内周面に接触して摺動することで回転トルクを発生させる環状の弾性部材とを備え、
前記中間リング部材は、前記第１の操作環の回転操作時に前記第１の操作環に押圧されて前記第２の操作環側に移動し、
前記中間リング部材の前記第２の操作環側への移動に応じて前記第２の操作環が移動することで、前記弾性部材が発生させる回転トルクが増大する
ことを特徴とする撮像装置。
【請求項２】
前記第１の操作環は、前記撮像装置が備えるレンズ鏡筒の根元側に配置され、前記第２の操作環は、前記レンズ鏡筒の前方側に配置されており、
前記中間リング部材の前記第２の操作環側への移動量の分、前記第１の操作環が前記レンズ鏡筒の前方側に移動することで、前記弾性部材が発生させる回転トルクが増大する
ことを特徴とする請求項１に記載の撮像装置。
【請求項３】
前記中間リング部材は、
前記撮像装置内のベース部材に対して回転規制され、
前記第１の操作環の前方側端面と接触する第１摺動面と、
前記第２の操作環の後方側端面と接触する第２摺動面を有する
ことを特徴とする請求項１または請求項２に記載の撮像装置。
【請求項４】
前記中間リングが備える前記第１摺動面に、所定の角度でリブ形状部が設けられ、
前記第１操作環の前方側端面に、前記リブ形状部に対応する溝形状部が設けられ、
前記第１の操作部の回転停止位置において、前記リブ形状部は前記溝形状部に入り込む
ことを特徴とする請求項３に記載の撮像装置。
【請求項５】
前記第２の操作環の、前記弾性部材との接触面は、テーパ形状を有する
ことを特徴とする請求項１乃至４のいずれか１項に記載の撮像装置。
【請求項６】
前記第１の操作環を所定の角度においてクリック感を持たせて回転停止させる停止手段を備える
ことを特徴とする請求項１乃至５のいずれか１項に記載の撮像装置。
【請求項７】
前記第１の操作環に対して固定されるプレート部材を有し、
前記停止手段は、前記プレート部材の後方側に所定の角度で設けられたスリット形状部であり、
前記プレート部材は、前記第１の操作環の回転操作時に、付勢部材によって前記プレート部材の前方側に押圧されたボール部材が前記スリット形状部に嵌まることによって回転停止する
ことを特徴とする請求項６に記載の撮像装置。
【請求項８】
前記弾性部材は、導電性のゴム部材で形成され、前記第２の操作環と押圧接触することで前記撮像装置の本体内部の金属部品との電気的な導通を確保する
ことを特徴とする請求項１乃至７のいずれか１項に記載の撮像装置。
【発明の詳細な説明】
【技術分野】
【０００１】
本発明は、撮像装置に関する。
【背景技術】
【０００２】
近年、デジタルカメラ等の撮像装置の小型化・高機能化が進み、コンパクトサイズの撮像装置においても、撮影時のマニュアル設定機能を備え、ユーザが操作することによってフォーカスや露出等の設定値を任意に変更可能なものが増えてきている。
【０００３】
特許文献１は、手動でズーム操作とフォーカス操作のそれぞれの操作を回転操作によって行う操作環がレンズ鏡筒周りに軸方向に連続して配置されたカメラを開示している。このカメラは、一方の操作環の操作時に他方の操作環を意図せずに回してしまうことを防止するため、オートフォーカス時にはズーム操作環とフォーカス操作環を連結させ、両方を把持してズーム操作を行う。また、操作環にはフォーカス操作の手動操作と自動操作を切り替える切り替え手段が設けられており、これにより両方の操作環を連結させて操作性を改善させる。
【先行技術文献】
【特許文献】
【０００４】
【特許文献１】特開２００３−１８５９０９号公報
【発明の概要】
【発明が解決しようとする課題】
【０００５】
しかし、特許文献１が開示するカメラでは、フォーカスの手動操作と自動操作を切り替えるためのレバー等が必要となり、機構上複雑な構成となる。また、操作性が改善されるのはオートフォーカス時のみであり、マニュアルフォーカス時の操作性に関しては各々の操作環を操作する必要があるため誤操作をしてしまう。
【０００６】
本発明は、ユーザが複数の操作環を操作する際に、隣接する操作環を意図せずに操作してしまうことを防止する撮像装置の提供を目的とする。
【課題を解決するための手段】
【０００７】
本発明の一実施形態の撮像装置は、軸周りに連続して配置され、回転操作可能な第１、第２の操作環と、前記第１の操作環と前記第２の操作環との間に配置された中間リング部材と、前記第２の操作環の内周面に接触して摺動することで回転トルクを発生させる環状の弾性部材とを備える。前記中間リング部材は、前記第１の操作環の回転操作時に前記第１の操作環に押圧されて前記第２の操作環側に移動し、前記中間リング部材の前記第２の操作環側への移動に応じて前記第２の操作環が移動することで、前記弾性部材が発生させる回転トルクが増大する。
【発明の効果】
【０００８】
本発明の撮像装置によれば、ユーザが複数の操作環を操作する際に、隣接する操作環を意図せずに操作してしまうことを防止することができる。
【図面の簡単な説明】
【０００９】
【図１】撮像装置の分解斜視図の例である。
【図２】カメラ本体前面の外観を示す斜視図の例である。
【図３】カメラの正面図の例である。
【図４】カメラの上面図の例である。
【図５】フロントカバーユニット構成の断面図の例である。
【図６】フロントカバーの一部の拡大図の例である。
【図７】フロントカバーユニット内部の斜視図の例である。
【図８】フォーカス操作リングとフォトリフレクタの斜視図の例である。
【図９】中間リングの斜視図の例である。
【図１０】中間リングの一部の拡大図である。
【図１１】ズーム操作リングの前方側端面の構成を説明する斜視図の例である。
【図１２】撮像装置の上面図の例である。
【図１３】ズーム操作リング周辺の拡大図である。
【図１４】ズーム操作リングを回転させた状態を示す図である。
【図１５】中間リングとフォーカス操作リングの移動を説明する図である。
【発明を実施するための形態】
【００１０】
図１は、本実施形態の撮像装置の分解斜視図の例である。
１０１は操作部の前面を覆うフロントキャップ、１０２は環状の弾性部材であるＯリングである。Ｏリング１０２は、導電性のゴム部材（フッ素ゴム）等で構成される。Ｏリング１０２は、図示しないフロントキャップ１０１の溝部に嵌めこまれて固定されている。１０３は、レンズ鏡筒の前方側に配置されるフォーカス操作リングである。１０４はフォーカス操作リング１０３の後方およびズーム操作リング１０５の前方に挟まれて、撮像装置内のベース部材１０９に対して回転規制されるように固定される中間リング（中間リング部材）である。１０５はレンズ鏡筒の後方側（根元側）に配置されるズーム操作レンズである。ズーム操作リング（第１の操作環）１０５とフォーカス操作リング１０３（第２の操作環）とは、レンズ鏡筒の軸周りに、回転操作可能に配置されている。１０６はＰＣ等の樹脂材料で成型されフロントカバー１０７に対して接着固定されるインナーベースである。
【００１１】
フロントカバー１０７は、アルミ等の金属材料を絞り加工して形成される。１０８はズーム操作リング１０５に対して回転規制されるクリックプレート、１１０は鋼球（ボール部材）である。１１１は鋼球１１０を押圧するクリックバネ（付勢部材）である。１１２はクリックバネ抑えである。鋼球１１０は、クリックプレート１０８に対して、クリックバネ１１１によって前方へと押圧されている。１０９はアルミ等の金属で形成されたベース部材である。ベース部材１０９は、ビス１１５によって前記インナーベース１０６に対して図示しないビス座に対して締結される。１１３はフォーカス操作リング１０３の回転位置を検出するためのフォトリフレクタ、１１４はズーム操作リング１０５の回転位置を検出するためのフォトリフレクタである。ズーム操作リング１０５の回転位置の検出方法に関しては後述する。以上のような構成によってフロントカバーユニットが形成されている。
【００１２】
図２は、カメラ本体前面の外観を示す斜視図の例である。図３は、カメラの正面図の例である。また、図４は、カメラの上面図の例である。
図２及び図３に示すように、カメラ前面には、ストロボ窓１１６、ＡＦ補助光窓１２０が配置されている。また、カメラ底面側には、電池の出し入れをするための電池蓋１２１が配置されている。カメラ上面には、カメラ本体の電源ボタン１１７、撮影時の画角を変化させるためのズームレバー１１８およびレリーズボタン１１９が配置されている。また、図４に示すように、フォーカス操作リング１０３とズーム操作リング１０５とは、前後方向に連続して配置されている。それぞれの操作リングの外観面にはユーザが把持して回転操作しやすいようにローレット形状が形成されている。
【００１３】
図５は、フロントカバーユニット構成の断面図の例である。また、図６は、図５に示すフロントカバーの一部の拡大図の例である。
図５に示すように、フロントカバー１０７の内側には、インナーベース１０６が接着固定され、インナーベース１０６の背面側からベース部材１０９が挿入されて図１に示すビス１１５によって固定される。ズーム操作リング１０５は、ベース部材１０９に対して前方側から組まれていき、ズーム操作リング１０５の後端外周面が前記インナーベース１０６の内周面に摺動するように軸支される。ズーム操作リング１０５の前方側内周面は、ベース部材１０９の外周面に対して摺動可能に軸支されている。
【００１４】
ズーム操作リング１０５の前方側には、中間リング１０４が挿入されて、中間リング１０４はベース部材に対して回転規制がされている。さらに前方側には、フォーカス操作リング部材が組まれていき、中間リング１０４の外周面に対してフォーカス操作リング１０３の内周面が摺動可能に軸支される。中間リング１０４は、摺動ＰＣ等のように摺動性の高い材料で形成されることが望ましい。
【００１５】
図６に示すように、フォーカス操作リング１０３の前側内周面は、フロントキャップ１０１の溝部に嵌めこまれたＯリング１０２と接触している。Ｏリング１０２は、フォーカス操作リング１０３の前側内周面と接触して摺動することで回転トルクを発生させる。フォーカス操作リング１０３のＯリング１０２との接触面はテーパ形状を成しており、スラスト方向およびラジアル方向の両方に対してチャージしている。これは、フォーカス操作リング１０３のスラストガタおよびラジアルガタの両方を規制するとともに、後述する方法によってフォーカス操作リング１０３が前方へと押しつけられた際に回転トルクを増大させるためである。なお、この例では、Ｏリング１０２は、導電性のゴム部材であり、フォーカス操作リング１０３と押圧接触することで撮像装置の本体内部の金属部品との電気的な導通を確保している。１２２は鏡筒前面を覆うバリアである。バリア１２２は、電源ＯＦＦ状態においてレンズ保持部材１２３によって支持されるレンズ群（不図示）の前面を保護している。
【００１６】
図７は、フロントカバーユニット内部の斜視図の例である。また、図８は、フォーカス操作リングとフォトリフレクタの斜視図の例である。図７および図８を用いて、ズーム操作リング１０５とフォーカス操作リング１０３の回転位置の検出について説明する。
【００１７】
図７に示す１０８は、ズーム操作リング１０５に対して回転規制して固定されたクリックプレート（プレート部材）である。クリックプレート１０８は、ステンレス等の板金材料で形成されている。クリックプレート１０８の後ろ側には、クリックバネ１１１によって前方側へと押圧された鋼球１１０が嵌るスリット形状部１０８ａが所定角度で形成されている。これにより、ズーム操作リング１０５が回転操作されると、ズーム操作リング１０５に固定されたクリックプレート１０８に対して鋼球１１０が押圧されているので、スリット間隔においてクリック感を発生する。クリックプレート１０８は、スリット形状部１０８ａに鋼球１１０が入りこんだ位置において回転停止するように作用するため、ズーム操作リング１０５も同様に停止する。すなわち、スリット形状部１０８ａは、ズーム操作リング１０５を所定の角度においてクリック感を持たせて回転停止させる停止手段として機能する。
【００１８】
クリックプレート１０８にはスリット形状部１０８ａの外周側にマット塗装１０８ｂが一定の角度で施されている。マット塗装１０８ｂに対向するようにフォトリフレクタ１１４が配置されている。フォトリフレクタ１１４は、クリックプレート１０８の板金面を明部、マット塗装１０８ｂを暗部としてＬＥＤの反射光を読み取る。フォトリフレクタ１１４は、クリックプレート１０８のマット塗装１０８ｂに対向するように基板上に所定間隔で２個配置されており（不図示）、明部および暗部の反射率を読み取ることで、クリックプレート１０８の回転位置と回転方向を検知する。
【００１９】
また、図８に示すように、フォーカス操作リング１０３の内周面には、マット塗装部１０３ａとブラックアルマイト部１０３ｂが所定の角度で縞模様をなすように形成されている。また、内周面に対向するようにフォトリフレクタ１１３が配置されている。フォトリフレクタ１１３は、ブラックアルマイト部１０３ｂを明部、マット塗装部１０３ａを暗部としてＬＥＤ光の反射を読み取ることで回転位置および回転方向の検出を行う。
【００２０】
図９は、中間リングの斜視図の例である。また、図１０は、図９に示す中間リングの一部の拡大図である。
図９および図１０に示すように、中間リング１０４の後端側の面（第１摺動面）が、ズーム操作リング１０５の前方側端面と接触する。当該後端側の面には、リブ形状部１０４ａが一定角度間隔で形成されている。この角度は前述のクリックプレート１０８に形成されたスリット形状部１０８ａの間隔と同じ角度で設定される。なお、図示を省略するが、中間リング１０４の前端側には、フォーカス操作リング１０３の後方側端面と接触する面（第２摺動面）が設けられている。
【００２１】
図１１は、ズーム操作リング１０５の前方側端面の構成を説明する斜視図の例である。
図１１では、説明の便宜上、フォーカス操作リング１０３および中間リング１０４を取り除いた状態を示している。ズーム操作リング１０５の前方側端面には、所定の角度で溝形状部１０５ａが形成されている。溝形状部１０５ａは、前述の中間リング１０４に形成されたリブ形状部１０４ａに対応するように同間隔で形成されている。
【００２２】
図１２は、ズーム操作リング１０５がクリックの回転停止位置にある状態の撮像装置の上面図の例である。また、図１３は、ズーム操作リング１０５周辺の拡大図である。
図１３に示すように、クリックの停止位置において中間リング１０４のリブ形状部１０４ａは、ズーム操作リング１０５の溝形状部１０５ａに対して入り込んでいる。
【００２３】
図１４は、ズーム操作リング１０５を図１３に示す状態から回転させた状態を示す図である。また、図１５は、ズーム操作リング１０５を回転させた時の中間リング１０４とフォーカス操作リング１０３の移動を説明する図である。
【００２４】
図１３の状態では溝形状部１０５ａに入り込んでいたリブ形状部１０４ａは、ズーム操作リング１０５の回転により、溝形状部１０５ａに対して乗り越える動作を行う。この時、中間リング１０４が、リブ形状部１０４ａと溝形状部１０５ａのオーバーラップ分だけ、図１４中の矢印Ａで示す前方へ移動する。すなわち、図１５の点線の矢印で示すように、中間リング１０４は、ズーム操作リング１０５の回転操作時に、ズーム操作リング１０５に押圧されて、点線の矢印で示すフォーカス操作リング１０３側（第２の操作環側）に移動する。中間リング１０４の前方への移動量の分だけ、フォーカス操作リング１０３も同様に前方（図１５の実線の矢印で示す方向）へ移動する。これにより、フォーカス操作リング１０３の前方内面側に形成されたテーパ形状とＯリング１０２とのチャージ量が増大され、その結果、フォーカス操作リング１０３の回転トルクが増大する。この構成により、レンズ鏡筒の根元側のズーム操作リング１０５の回転操作時には、レンズ鏡筒の前方側のフォーカス操作リング１０３の回転トルクが増大し、誤操作を防止することが可能となる。
【００２５】
以上説明したように、本実施形態では、ズーム操作リング１０５が、鋼球１１０をクリックプレート１０８に押圧して回転停止させ、フォーカス操作リング１０３が、中間リング１０４の前後移動によってフォーカス操作リングの回転トルクを変化させる。これにより、フォーカス操作リング１０３の操作時に誤ってズーム操作リング１０５を回転させてしまうこと、およびズーム操作リング１０５操作時にフォーカス操作リング１０３を回転させてしまうことが防止できる。
【００２６】
本発明の好ましい実施形態について説明したが、本発明は、その要旨の範囲内で種々の変形及び変更が可能である。例えば、回転操作リングの機能は、フォーカス、ズーム操作に限らずユーザが任意に変更可能にしても良い。
【符号の説明】
【００２７】
１０３  フォーカス操作リング
１０４  中間リング
１０５  ズーム操作リング
【図１】
2016080858.tif 000003
【図２】
2016080858.tif 000004
【図３】
2016080858.tif 000005
【図４】
2016080858.tif 000006
【図５】
2016080858.tif 000007
【図６】
2016080858.tif 000008
【図７】
2016080858.tif 000009
【図８】
2016080858.tif 000010
【図９】
2016080858.tif 000011
【図１０】
2016080858.tif 000012
【図１１】
2016080858.tif 000013
【図１２】
2016080858.tif 000014
【図１３】
2016080858.tif 000015
【図１４】
2016080858.tif 000016
【図１５】
2016080858.tif 000017